(57)【要約】      （修正有）【課題】供給期間開始直後における材料ガス濃度のオーバーシュートを抑制した気化装置の提供。【解決手段】材料を貯留する気化タンク１０と、材料ガス導出路Ｌ２と、濃度モニタ４０と、材料ガス導出路から導出された材料ガスの濃度を制御する濃度制御機構３０とを具備し、材料ガスの供給と停止とを繰り返す気化装置であって、濃度制御機構が、濃度モニタからの出力信号に基づき材料ガスの実濃度を算出する濃度算出部Ｃ１と、材料ガスの供給期間に、濃度制御機構を構成する流体制御機器の制御値が予め定められた初期設定値になるように制御する第１制御を行った後、実濃度が予め定められた目標値に近づくようにフィードバック制御する第２制御を行う濃度制御部と、濃度制御部が第１制御を開始した後に実濃度の経時変化に基づいて、濃度制御部を第１制御から第２制御へ切り替える制御切替部とを具備する気化装置。【選択図】図１
2020133001.tif 000002
【特許請求の範囲】
【請求項１】
液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置であって、
前記濃度制御機構が、
前記濃度モニタからの出力信号に基づいて前記材料ガスの実濃度を算出する濃度算出部と、
前記材料ガスが供給される供給期間において、前記濃度制御機構を構成する流体制御機器の制御値が予め定められた初期設定値になるように制御する第１制御を行った後、当該流体制御機器を制御することによって前記実濃度が予め定められた目標値に近づくようにフィードバック制御する第２制御を行う濃度制御部と、
前記濃度制御部が前記第１制御を開始した後における前記実濃度の経時変化に基づいて、前記濃度制御部の制御状態を前記第１制御から前記第２制御へ切り替える制御切替部とを具備していることを特徴とする気化装置。
【請求項２】
前記材料ガス導出路に合流して当該材料ガス導出路に希釈ガスを供給する希釈ガス供給路をさらに具備するものであり、
前記濃度制御機構が、前記流体制御機器として、前記キャリアガス供給路に設けられた第１流量制御機器と前記希釈ガス供給路に設けられた第２流量制御機器とを備えるものであり、
前記濃度制御部が、前記材料ガスが供給される供給期間において、前記第１流量制御機器を流れる流量及び前記第２流量制御機器を流れる流量がそれぞれ予め定められた初期設定値になるように制御する第１制御を行った後、前記第１流量制御機器を流れる流量又は前記第２流量制御機器を流れる流量の少なくとも一方を制御することによって前記実濃度が予め定められた目標値に近づくようにフィードバック制御する第２制御を行うものである請求項１記載の気化装置。
【請求項３】
前記濃度制御機構が、前記流体制御機器として、前記キャリアガス供給路に設けられた流量制御機器と前記材料ガス導出路における前記濃度モニタよりも下流側に設けられた圧力制御機器とを備えるものであり、
前記濃度制御部が、前記材料ガスが供給される供給期間において、前記流量制御機器を流れる流量及び前記圧力制御機器の上流側の圧力がそれぞれ予め定められた初期設定値になるように制御する第１制御を行った後、前記流量制御機器を流れる流量又は前記圧力制御機器の上流側の圧力の少なくとも一方を制御することによって前記実濃度が予め定められた目標値に近づくようにフィードバック制御する第２制御を行うものである請求項１記載の気化装置。
【請求項４】
前記制御切替部が、前記第１制御開始後の経過時間に対する前記実濃度の変化率に基づいて、前記濃度制御部の制御状態を前記第１制御から前記第２制御へ切り替えるものである請求項１記載の気化装置。
【請求項５】
前記制御切替部が、前記実濃度の変化率が閾値以下になった場合に、前記濃度制御部の制御状態を前記第１制御から前記第２制御へ切り替えるものである請求項４記載の気化装置。
【請求項６】
前記制御切替部が、前記実濃度の変化率が閾値以下になる前に、前記経過時間が予め定められた設定時間を越えた場合に、前記濃度制御部の制御状態を前記第１制御から前記第２制御へ切り替えるものである請求項５記載の気化装置。
【請求項７】
前記濃度制御部の前記第１制御開始後における前記実濃度の経時変化に基づいて閾値を設定する閾値設定部をさらに具備している請求項５記載の気化装置。
【請求項８】
前記閾値設定部が、前記第１制御開始後における前記実濃度の変化率の最大値、又は、当該第１制御開始後に所定時間経過した時点における前記実濃度の変化率に基づいて閾値を設定するものである請求項７記載の気化装置。
【請求項９】
前記閾値設定部が、前記供給期間毎に、当該供給期間の前記第１制御開始後における前記実濃度の経時変化に基づいて閾値を設定し直すものである請求項７記載の気化装置。
【請求項１０】
前記制御切替部が、前記第１制御開始後に所定の遅延時間を設け、当該遅延時間後における前記実濃度の経時変化に基づいて、前記濃度制御部の制御状態を前記第１制御から前記第２制御へ切り替えるものである請求項１記載の気化装置。
【請求項１１】
前記実濃度が予め定められた目標値となるように定めた設定値に１以上のオーバーシュートゲインを乗じた値を前記初期設定値として設定する初期値設定部をさらに備えた請求項１記載の気化装置。
【請求項１２】
請求項１乃至１１いずれかに記載の気化装置と、
前記材料ガスが供給されるチャンバとを具備する成膜装置。
【請求項１３】
液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置に用いられる濃度制御機構用プログラムであって、
前記濃度制御機構用プログラムが、
前記濃度モニタからの出力信号に基づいて前記材料ガスの実濃度を算出する濃度算出部と、
前記材料ガスが供給される供給期間において、前記濃度制御機構を構成する流体制御機器の制御値を予め定められた初期設定値になるように制御する第１制御を行った後、当該流体制御機器を制御することによって前記実濃度が予め定められた目標値に近づくようにフィードバック制御する第２制御を行う濃度制御部と、
前記濃度制御部が前記第１制御を開始した後における前記実濃度の経時変化に基づいて、前記濃度制御部の制御状態を前記第１制御から前記第２制御へ切り替える制御切替部としての機能をコンピュータに発揮させることを特徴とする濃度制御機構用プログラム。
【請求項１４】
液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置に用いられる濃度制御方法であって、
前記濃度モニタからの出力信号に基づいて前記材料ガスの実濃度を算出するステップと、
前記材料ガスが供給される供給期間において、前記濃度制御機構を構成する流体制御機器の制御値を予め定められた初期設定値になるように制御する第１制御を行った後、当該流体制御機器を制御することによって前記実濃度が予め定められた目標値に近づくようにフィードバック制御する第２制御を行うステップと、
前記濃度制御部が前記第１制御を開始した後における前記実濃度の経時変化に基づいて、前記濃度制御部の制御状態を前記第１制御から前記第２制御へ切り替えるステップとを備えることを特徴とする濃度制御方法。
【発明の詳細な説明】
【技術分野】
【０００１】
本発明は、気化装置、成膜装置、濃度制御機構用プログラム、及び、濃度制御方法に関するものである。
【背景技術】
【０００２】
従来、半導体製造プロセス等における成膜装置のチャンバに対し、液体又は固体の材料を気化してなる材料ガスを供給する気化装置として、特許文献１には、材料を貯留する気化タンクにキャリアガスを間欠的に供給することで、その材料が気化してなる材料ガスを気化タンクから間欠的に導出し、導出された材料ガスを希釈ガスで希釈してなる混合ガスをチャンバへ供給するものが記載されている。
【０００３】
なお、前記従来の気化装置においては、材料ガスの供給期間とその供給を停止する停止期間とが繰り返され、供給期間開始直後から混合ガスに含まれる材料ガスの実濃度が予め定められた目標値に近づくようにフィードバック制御を行うように構成されている。
【０００４】
しかし、前記従来の気化装置のように供給期間開始直後からフィードバック制御を行うと、制御対象となる流体制御機器（具体的には、流量制御機器、圧力制御機器等）や気化タンクと濃度モニタとの間の距離による時間遅れが原因となり、供給期間開始直後に材料ガスの濃度が大きくオーバーシュートするという問題がある。
【先行技術文献】
【特許文献】
【０００５】
【特許文献１】特開２０１４−２２４３０７号
【発明の概要】
【発明が解決しようとする課題】
【０００６】
そこで、本発明は、供給期間開始直後における材料ガスの濃度のオーバーシュートを抑制することを主な課題とするものである。
【課題を解決するための手段】
【０００７】
すなわち、本発明に係る濃度制御装置は、液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置であって、前記濃度制御機構が、前記濃度モニタからの出力信号に基づいて前記材料ガスの実濃度を算出する濃度算出部と、前記材料ガスが供給される供給期間において、前記濃度制御機構を構成する流体制御機器の制御値を予め定められた初期設定値になるように制御する第１制御を行った後、当該流体制御機器を制御することによって前記実濃度が予め定められた目標値に近づくようにフィードバック制御する第２制御を行う濃度制御部と、前記濃度制御部が前記第１制御を開始した後における前記実濃度の経時変化に基づいて、前記濃度制御部の制御状態を前記第１制御から前記第２制御へ切り替える制御切替部とを具備していることを特徴とするものである。
【０００８】
このようなものであれば、材料ガスが供給される供給期間において、濃度制御機構を構成する流体制御機器の制御値が予め定められた初期設定値になるように制御する第１制御を行った後、当該流体制御機器を制御することによって実濃度が予め定められた目標値に近づくようにフィードバック制御する第２制御を行い、かつ、当該第１制御開始後における実濃度の経時変化に基づき第１制御から第２制御へ切り替えるように構成したので、従来の気化装置のように供給期間開始直後からフィードバック制御を行う場合に比べて、供給期間開始直後のオーバーシュートが抑制される。なお、制御値は、流体制御機器の制御対象の値であり、流体制御機器が流量制御機器であった場合には流量を示し、流体制御機器が圧力制御機器であった場合には圧力を示している。また、初期設定値とは、供給期間開始時における流体制御機器の設定値を示している。
【０００９】
具体的な実施態様としては、希釈式（流量式）と圧力式とに分類できる。そして、希釈式の実施態様としては、前記材料ガス導出路に合流して当該材料ガス導出路に希釈ガスを供給する希釈ガス供給路をさらに具備するものであり、前記濃度制御機構が、前記流体制御機器として、前記キャリアガス供給路に設けられた第１流量制御機器と前記希釈ガス供給路に設けられた第２流量制御機器とを備えるものであり、前記濃度制御部が、前記材料ガスが供給される供給期間において、前記第１流量制御機器を流れる流量及び前記第２流量制御機器を流れる流量がそれぞれ予め定められた初期設定値になるように制御する第１制御を行った後、前記第１流量制御機器を流れる流量又は前記第２流量制御機器を流れる流量の少なくとも一方を制御することによって前記実濃度が予め定められた目標値に近づくようにフィードバック制御する第２制御を行うものが挙げられる。
【００１０】
また、圧力式の実施態様としては、前記濃度制御機構が、前記流体制御機器として、前記キャリアガス供給路に設けられた流量制御機器と前記材料ガス導出路における前記濃度モニタよりも下流側に設けられた圧力制御機器とを備えるものであり、前記濃度制御部が、前記材料ガスが供給される供給期間において、前記流量制御機器を流れる流量及び前記圧力制御機器の上流側の圧力がそれぞれ予め定められた初期設定値になるように制御する第１制御を行った後、前記流量制御機器を流れる流量又は前記圧力制御機器の上流側の圧力の少なくとも一方を制御することによって前記実濃度が予め定められた目標値に近づくようにフィードバック制御する第２制御を行うものが挙げられる。
【００１１】
そして、前記制御切替部の具体的な態様としては、前記制御切替部が、前記第１制御開始後の経過時間に対する前記実濃度の変化率に基づいて、前記濃度制御部の制御状態を前記第１制御から前記第２制御へ切り替えるものが挙げられる。また、より具体的な実施態様としては、前記制御切替部が、前記第１制御開始後の経過時間に対する前記実濃度の変化率が閾値以下になった場合に、前記濃度制御部の制御状態を前記第１制御から前記第２制御へ切り替えるものが挙げられる。
【００１２】
また、前記制御切替部が、前記実濃度の変化率が閾値以下になる前に、前記経過時間が予め定められた設定時間を越えた場合に、前記濃度制御部の制御状態を前記第１制御から前記第２制御へ切り替えるものであってもよい。
【００１３】
このようなものであれば、何等かの要因により、実濃度の変化率が閾値以下にならない場合であっても、経過時間が設定時間を越えると強制的に第１制御から第２制御へ切り替えられるため、材料ガスの濃度制御を行うことができる。
【００１４】
なお、前記第１制御開始後における前記実濃度の経時変化に基づいて閾値を設定する閾値設定部をさらに具備しているものであってもよい。具体的には、前記閾値設定部が、前記第１制御開始後の経過時間に対する前記実濃度の変化率の最大値、又は、当該第１制御開始時点から所定時間経過後における前記実濃度の変化率に基づいて閾値を設定するものが挙げられる。
【００１５】
このようなものであれば、供給する材料等の違いにより実濃度の経時変化が異なる場合においても、適切なタイミングで第１制御から第２制御へ切り替えることができる。
【００１６】
この場合、前記閾値設定部が、前記供給期間毎に、当該供給期間の前記第１制御開始後における前記実濃度の経時変化に基づいて閾値を設定し直すものであってもよい。
【００１７】
このようなものであれば、各供給期間における流体制御機器の初期設定値を、前回の供給期間で得た実濃度の経時変化を示す濃度変化データに基づいて設定する場合であっても、供給期間毎に閾値を設定し直すことができる。これにより、各供給期間において適切なタイミングで第１制御から第２制御へ切り替えることができる。
【００１８】
また、第１制御開始直後は、経過時間に対する実濃度の変化が不安定になる。そこで、前記制御切替部が、前記第１制御開始後に所定の遅延時間を設け、当該遅延時間後における実濃度の経時変化に基づいて、前記濃度制御部の制御状態を前記第１制御から前記第２制御へ切り替えるようにしてもよい。このようなものであれば、経過時間に対する実濃度の変化が不安定な期間に生じ易くなる誤判定を抑制できる。
【００１９】
実濃度が目標値に対してアンダーシュートする量を抑制できるようにするには、前記実濃度が予め定められた目標値となるように定めた設定値に１以上のオーバーシュートゲインを乗じた値を前記初期設定値として設定する初期値設定部をさらに備えたものであればよい。
【００２０】
また、本発明に係る成膜装置は、前記気化装置と、前記材料ガスが供給されるチャンバとを具備する成膜装置とを備えるものである。
【００２１】
また、本発明に係る濃度制御機構用プログラムは、液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置に用いられる濃度制御機構用プログラムであって、前記濃度モニタからの出力信号に基づいて前記材料ガスの実濃度を算出する濃度算出部と、前記材料ガスが供給される供給期間において、前記濃度制御機構を構成する流体制御機器の制御値を予め定められた初期設定値になるように制御する第１制御を行った後、当該流体制御機器を制御することによって前記実濃度が予め定められた目標値に近づくようにフィードバック制御する第２制御を行う濃度制御部と、前記濃度制御部が前記第１制御を開始した後における前記実濃度の経時変化に基づいて、前記濃度制御部の制御状態を前記第１制御から前記第２制御へ切り替える制御切替部としての機能をコンピュータに発揮させることを特徴とするものである。なお、濃度制御機構用プログラムは電子的に配信されるものであってもよいし、CD、DVD、BD、フラッシュメモリ等のプログラム記録媒体に記録されたものであってもよい。
【００２２】
また、本発明に係る濃度制御方法は、液体又は固体の材料を貯留する気化タンクと、前記気化タンクにキャリアガスを供給するキャリアガス供給路と、前記材料が気化して前記気化タンクから導出された材料ガスが流れる材料ガス導出路と、前記材料ガス導出路に設けられた濃度モニタと、前記材料ガス導出路から導出された材料ガスの濃度を制御する流体制御機器を備える濃度制御機構とを具備し、前記材料ガスの供給と停止とを繰り返す気化装置に用いられる濃度制御方法であって、前記濃度モニタからの出力信号に基づいて前記材料ガスの実濃度を算出するステップと、前記材料ガスが供給される供給期間において、前記濃度制御機構を構成する流体制御機器の制御値を予め定められた初期設定値になるように制御する第１制御を行った後、当該流体制御機器を制御することによって前記実濃度が予め定められた目標値に近づくようにフィードバック制御する第２制御を行うステップと、前記濃度制御部が前記第１制御を開始した後における前記実濃度の経時変化に基づいて、前記濃度制御部の制御状態を前記第１制御から前記第２制御へ切り替えるステップとを備えることを特徴とするものである。
【００２３】
このように構成した濃度制御装置によれば、供給期間開始直後における材料ガスの濃度のオーバーシュートを抑制することができる。
【図面の簡単な説明】
【００２４】
【図１】実施形態に係る気化装置を示す模式図である。
【図２】実施形態に係る気化装置における濃度制御機構の機能を示すブロック図である。
【図３】実施形態に係る気化装置によって材料ガスの供給と停止とを繰り返した場合における実濃度の経時変化を示すグラフである。
【図４】実施形態に係る気化装置によって予備制御を行った場合における実濃度の経時変化を示すグラフである。
【図５】実施形態に係る気化装置の動作を示すフローチャートである。
【図６】実施形態に係る気化装置の変形例における実濃度の経時変化を示すグラフである。
【図７】その他の実施形態に係る気化装置を示す模式図である。
【発明を実施するための形態】
【００２５】
以下に、本発明に係る気化装置を図面に基づいて説明する。
【００２６】
本発明に係る気化装置は、例えば半導体製造ライン等に組み込まれて半導体製造プロセスに用いられるチャンバに所定濃度のガスを供給するためのものである。なお、気化装置は、チャンバと共に半導体製造等に用いられる成膜装置を構成している。
【００２７】
本実施形態に係る気化装置１００は、所謂希釈式（流量式）のものであり、図１に示すように、液体又は固体の材料を貯留する気化タンク１０と、気化タンク１０にキャリアガスを供給するキャリアガス供給路Ｌ１と、材料が気化した材料ガスを気化タンク１０から導出する材料ガス導出路Ｌ２と、材料ガスを希釈する希釈ガスを材料ガス導出路Ｌ２に供給する希釈ガス供給路Ｌ３と、チャンバＣＨへの材料ガスの供給とその停止とを切り替えるための切替機構２０と、チャンバＣＨに供給される材料ガスの濃度を制御する濃度制御機構３０と、を具備している。
【００２８】
前記キャリアガス供給路Ｌ１には、キャリアガスの流量を制御する第１流量制御機器ＭＦＣ１が設けられている。当該第１流量制御機器ＭＦＣ１は、例えば、熱式の流量センサと、ピエゾバルブ等の流量調整弁と、ＣＰＵやメモリ等を備えた制御回路とを具備したマスフローコントローラである。制御回路は、後述する制御部Ｃにより設定される設定流量と流量センサで測定される測定流量の偏差に基づいて、流量調整弁の開度を流量フィードバック制御する。
【００２９】
前記材料ガス導出路Ｌ２には、希釈ガス供給路Ｌ３との合流点よりも下流側に濃度モニタ４０が設けられている。なお、濃度モニタ４０は、材料ガスを希釈ガスで希釈してなる混合ガスに含まれる材料ガスの実濃度を測定するものである。本実施形態の濃度モニタ４０は、混合ガスに含まれる材料ガスの実濃度（ｖｏｌ％）が、混合ガスの圧力（全圧）に対する混合ガスに含まれる材料ガスの圧力（分圧）の比率で表されることを利用したものであり、具体的には、全圧を測定する圧力計４１と、分圧を測定する例えば非分散型赤外吸収法を用いた分圧計４２とを備えている。
【００３０】
前記希釈ガス供給路Ｌ３には、希釈ガスの流量を制御する第２流量制御機器ＭＦＣ２が設けられている。当該第２流量制御機器ＭＦＣ２は、第１流量制御機器ＭＦＣ１と同様、例えば、熱式の流量センサと、ピエゾバルブ等の流量調整弁と、ＣＰＵやメモリ等を備えた制御回路とを具備したマスフローコントローラである。制御回路は、後述する制御部Ｃにより設定される設定流量と流量センサで測定される測定流量の偏差に基づいて、流量調整弁の開度を流量フィードバック制御する。
【００３１】
前記切替機構２０は、バルブ切替信号を受け付けて開閉する複数のバルブＶ１〜Ｖ３を有している。そして、例えば、ユーザが、切替機構２０のバルブＶ１〜Ｖ３を予め設定したタイミングで開閉することにより、気化タンク１０へのキャリアガスの供給と停止とが繰り返されるようになっている。これにより、材料ガスが気化タンク１０から間欠的に導出されてチャンバＣＨに間欠的に供給される。すなわち、本実施形態の気化装置１００では、材料ガス（具体的には、混合ガス）をチャンバＣＨへ供給する供給期間と、その供給を停止する停止期間とが交互に繰り返されるように構成されている。
【００３２】
具体的には、前記切替機構２０は、キャリアガス供給路Ｌ１及び材料ガス導出路Ｌ２を接続する迂回流路Ｌ４と、キャリアガス供給路Ｌ１における迂回流路Ｌ４との接続箇所よりも下流側に設けられた第１バルブＶ１と、材料ガス導出路Ｌ２における迂回流路Ｌ４との接続箇所よりも上流側に設けられた第２バルブＶ２と、迂回流路Ｌ４に設けられた第３バルブＶ３と、を備えている。
【００３３】
そして、前記気化装置１００は、切替機構２０の第１バルブＶ１及び第２バルブＶ２を開くと共に第３バルブＶ３を閉じることによって供給期間となり、切替機構２０の第１バルブＶ１及び第２バルブＶ２を閉じると共に第３バルブＶ３を開くことによって停止期間となるように構成されている。
【００３４】
前記濃度制御機構３０は、前記第１流量制御機器ＭＦＣ１と、前記第２流量制御機器ＭＦＣ２と、第１流量制御機器ＭＦＣ１及び第２流量制御機器ＭＦＣ２を制御する制御部Ｃと、を備えている。すなわち、本実施形態の流体制御機器は、第１流量制御機器ＭＦＣ１、及び、前記第２流量制御機器ＭＦＣ２である。
【００３５】
前記制御部Ｃは、具体的には、ＣＰＵ、メモリ、ＡＤコンバータ、ＤＡコンバータ、入力手段等を有したコンピュータであり、前記メモリに格納されたプログラムをＣＰＵによって実行することによって、図２に示すように、濃度算出部Ｃ１、目標値記憶部Ｃ２、期間判定部Ｃ３、濃度制御部Ｃ４、濃度変化データ記憶部Ｃ５、制御切替部Ｃ６、閾値設定部Ｃ７、閾値記憶部Ｃ８、設定時間記憶部Ｃ９、初期値設定部Ｃ１０、初期値記憶部Ｃ１１等としての機能を発揮するように構成されている。
【００３６】
前記濃度算出部Ｃ１は、濃度モニタ４０から出力された出力信号に基づいて混合ガスに含まれる材料ガスの実濃度を算出するものである。具体的には、圧力計４１及び分圧計４２のそれぞれから出力信号を取得し、圧力計４１により検出された全圧に対する分圧計４２により検出された分圧の比率を、混合ガスに含まれる材料ガスの実濃度（ｖｏｌ％）として算出する。
【００３７】
前記目標値記憶部Ｃ２は、例えば、キーボード等の入力手段によるユーザの入力操作や他機器から送信された、材料ガスの供給先（チャンバＣＨ）へ供給する材料ガスの目標濃度を示す目標値信号を受け付けて記憶するものである。
【００３８】
前記期間判定部Ｃ３は、バルブ開閉信号を受け付けて供給期間であるか否かを判定するものである。
【００３９】
前記濃度制御部Ｃ４は、図３に示すように、期間判定部Ｃ３が供給期間と判定した場合に、後述する初期値記憶部Ｃ１１に記憶された初期設定値を取得し、第１流量制御機器ＭＦＣ１を流れる流量及び第２流量制御機器ＭＦＣ２を流れる流量がそれぞれ初期設定値になるように制御する第１制御を行った後、濃度算出部Ｃ１から出力される実濃度信号と、目標値記憶部Ｃ２に記憶された目標値信号を取得し、第１流量制御機器ＭＦＣ１又は第２流量制御機器ＭＦＣ２の少なくとも一方を制御することによって実濃度が目標値に近づくようにフィードバック制御する第２制御を行うものである。なお、フィードバック制御は、具体的にはＰＩＤ制御である。ここで、第１制御が行われている間は、マスフローコントローラである第１流量制御機器ＭＦＣ１及び第２流量制御機器ＭＦＣ２の設定流量は例えば一定流量値に保たれた初期設定値に固定され、濃度算出部Ｃ１で算出される実濃度は各設定流量に対してほぼリアルタイムではフィードバックされない。これに対して第２制御では実濃度が各設定流量に対してほぼリアルタイムでフォードバックされ、逐次設定流量が変更される。言い換えると、第１制御では第１流量制御機器ＭＦＣ１及び第２流量制御機器ＭＦＣ２に対する濃度フィードバックループが切られており、第２制御では第１流量制御機器ＭＦＣ１及び第２流量制御機器ＭＦＣ２に対する濃度フィードバックループが形成される。
【００４０】
前記濃度変化データ記憶部Ｃ５は、濃度制御部Ｃ４が第１制御を開始した後に濃度算出部Ｃ１から出力される実濃度信号を取得し、当該第１制御開始後における実濃度の経時変化を示す濃度変化データを記憶するものである。
【００４１】
前記制御切替部Ｃ６は、濃度変化データ記憶部Ｃ５に記憶された濃度変化データに基づいて、濃度制御部Ｃ４の制御状態を第１制御から第２制御へ切り替えるものである。具体的には、本実施形態の制御切替部Ｃ６は、第１制御開始後の経過時間に対する実濃度の変化率が閾値以下になった場合に、濃度制御部Ｃ４の制御状態を第１制御から第２制御へ切り替える。より具体的には、本実施形態の制御切替部Ｃ６は、第１制御開始後の経過時間が設定時間を越える前に、実濃度の変化率が閾値以下になった場合、或いは、実濃度の変化率が閾値以下になる前に、当該経過時間が設定時間以上になった場合、に濃度制御部Ｃ４の制御状態を第１制御から第２制御に切り替えるように当該濃度制御部Ｃ４へ切替信号を出力するように構成されている。
【００４２】
前記閾値は、閾値設定部Ｃ７によって設定され、閾値記憶部Ｃ８に記憶される。具体的には、閾値設定部Ｃ７は、濃度制御部Ｃ４が第１制御を行った場合に得られる濃度変化データに基づいて閾値を設定するものである。なお、本実施形態の閾値設定部Ｃ７は、期間判定部Ｃ３が供給期間と判定した場合に、その供給期間で得られる濃度変化データに基づいて閾値を設定するものである。すなわち、当該閾値設定部Ｃ７は、供給期間毎に閾値を設定するようになっている。より具体的には、当該閾値設定部Ｃ７は、期間判定部Ｃ３が供給期間と判定した場合に、その供給期間で得られる濃度変化データを濃度変化データ記憶部Ｃ５から随時（リアルタイムで）取得し、当該濃度変化データに基づいて閾値を設定するようになっている。
【００４３】
次に、前記閾値設定部Ｃ７による閾値の設定手法を例示する。
【００４４】
第１の手法としては、前記閾値設定部Ｃ７は、取得した濃度変化データによって第１制御開始時点から所定時間経過時における実濃度の変化率を算出し、当該実濃度の変化率に基づいて閾値を算出して設定する。具体的には、閾値設定部Ｃ７は、取得した濃度変化データによって第１制御開始後、所定期間の実濃度の変化率を随時算出し、第１制御開始時点から所定時間経過時に対応する期間の実濃度の変化率に基づいて閾値を算出して設定する。より具体的には、第１制御開始時点から最初の期間の実濃度の変化率に基づいて閾値を算出して設定する。この場合、閾値設定部Ｃ７は、前記実濃度の変化率の１／Ｎ（Ｎは、１よりも大きい任意の数値）となる値を閾値に設定する。ここで、前記所定期間は、例えば、制御周期が１秒であり、５秒間の変化率を算出する場合、０〜５秒、１〜６秒、２〜７秒・・・のように、一部が重なるような期間であってもよい。
【００４５】
第２の手法としては、前記閾値設定部Ｃ７は、取得した濃度変化データによって第１制御開始後における実濃度の変化率の最大値を算出し、当該実濃度の変化率の最大値に基づいて閾値を算出して設定する。具体的には、閾値設定部Ｃ７は、取得した濃度変化データによって第１制御開始後、所定時間の実濃度の変化率を随時算出し、その中から選定した実濃度の変化率の最大値に基づいて閾値を算出して設定する。例えば、閾値設定部Ｃ７は、所定期間に実濃度の変化率を随時算出し、そのピーク値を更新しながら記憶することによって最大値を選定するようにすればよい。この場合、閾値設定部Ｃ７は、前記実濃度の変化率の最大値の１／Ｎ（Ｎは、１よりも大きい任意の数値）となる値を閾値に設定する。
【００４６】
ここで、前記実濃度の変化率についてさらに詳述すると、図３（ａ）に示すグラフの一部を拡大した図３（ｂ）に示すように、当該実濃度の変化率は、所定期間ΔＴの始点及び終点における実濃度を結ぶ直線Ｘの傾きであり、実濃度をｆ（ｔ）、経過時間をｔとした場合に、（ｆ（ｔ）−ｆ（ｔ−ΔＴ））／ΔＴによって算出される値である。すなわち、実濃度の変化率は、単位時間に対する実濃度の変化量ということもできる。また、実濃度の変化率は、所定期間の始点と終点を結ぶ直線の代わりに、所定期間の濃度変化データに対して、最小二乗フィッティングにより近似直線を求め、その近似直線の傾きから算出してもよい。
【００４７】
すなわち、本実施形態においては、１回の供給期間内で、当該供給期間の第１制御で得られる濃度変化データから閾値を設定し、当該閾値を利用して当該供給期間の第１制御を第２制御へ切り替えるように構成されている。
【００４８】
なお、本実施形態においては、閾値設定部Ｃ７を設けることにより、供給期間毎に閾値を設定し直しているが、閾値設定部Ｃ７を設けず、閾値記憶部Ｃ８に予め定められた閾値を記憶しておき、いずれの供給期間においても当該閾値に用いて制御するようにしてもよい。
【００４９】
この場合、前記閾値は、気化装置１００を出荷する前に第１流量制御機器ＭＦＣ１を流れる流量及び第２流量制御機器ＭＦＣ２を流れる流量が予め定められた予備設定値になるように制御する予備制御を行って得られた予備濃度変化データ（図４参照）から前記いずれかの手法を用いて事前に算出すればよい。また、気化装置１００を製造ライン等に組み込んだ後に前記予備制御を行って得られた予備濃度変化データから算出してもよい。また、気化装置１００によってチャンバＣＨに対して材料ガスを供給する１回目の供給期間を利用して予備制御を行って得られた予備濃度変化データから算出してもよい。なお、予備設定値は、図４に示すように、第１流量制御機器ＭＦＣ１を流れる流量及び第２流量制御機器ＭＦＣ２を流れる流量を予備設定値になるように制御した場合に、実濃度のピークが目標値又は目標値近傍に到達するように設定することが好ましい。なお、前記第１の手法又は前記第２の手法におけるＮの値は、前記予備濃度変化データに基づいて定めることができる。
【００５０】
前記設定時間は、設定時間記憶部Ｃ９に記憶されている。なお、設定時間記憶部Ｃ９は、例えば、キーボード等の入力手段によるユーザの入力操作や他機器から送信された設定時間信号を受け付けて記憶するようになっている。なお、設定時間は、前記予備濃度変化データにおける実濃度がピークに達する時間に適切なマージンを加えた時間とすることが好ましい。
【００５１】
前記初期値設定部Ｃ１０は、期間判定部Ｃ３が停止期間と判定した場合に、濃度変化データ記憶部Ｃ５に記憶された前回の供給期間で得た濃度変化データを取得し、当該濃度変化データに基づいて次回の供給期間の第１流量制御機器ＭＦＣ１及び第２流量制御機器ＭＦＣ２の初期設定値を算出して設定するものである。なお、初期設定値は、第１流量制御機器ＭＦＣ１と第２流量制御機器ＭＦＣ２とで同一の値であってもよく、異なる値であってもよい。具体的には初期設定値は第１流量制御機器ＭＦＣ１及び第２流量制御機器ＭＦＣ２に設定される設定流量Ｑｃ、Ｑｄでキャリアガス及び希釈ガスの流量が一定に保たれた場合に、濃度モニタ４０で測定される実濃度が目標値記憶部Ｃ２に記憶されている目標濃度となるように設定される。例えば第１制御終了時点における実濃度が目標濃度よりも大きい場合には、次回の供給期間に使用されるキャリアガスの設定流量Ｑｃは今回の値よりも小さい値に設定される。逆に第１制御終了時点における実濃度が目標濃度よりも小さい場合には、次回の供給期間に使用されるキャリガスガスの設定流量Ｑｄは今回の値よりも大きい値に設定される。
【００５２】
前記初期値記憶部Ｃ１１は、初期値設定部Ｃ１０から初期設定値信号を受け付けて記憶するものである。具体的には、初期値記憶部Ｃ１１は、初期値設定部Ｃ１０から初期設定値信号を受け付ける毎に、当該初期設定値を上書きして記憶するようになっている。ここで、初期値設定部Ｃ１０は、前回の供給期間で得た濃度変化データに基づいて初期設定値を設定しているため、最初の供給期間については初期設定値を設定できない。このため、初期値記憶部Ｃ１１には、事前に最初の供給期間に用いる第１流量制御機器ＭＦＣ１及び第２流量制御機器ＭＦＣ２の最初期設定値が記憶されている。なお、最初期設定値は、前記予備濃度変化データに基づいて設定することができる。
【００５３】
なお、本実施形態においては、初期値設定部Ｃ１０を設けることにより、供給期間毎に初期設定値を設定し直しているが、初期値設定部Ｃ１０を設けず、初期値記憶部Ｃ１１に予め定められた初期設定値（例えば、最初期設定値）を記憶しておき、いずれの供給期間においても当該初期設定値に用いて制御するようにしてもよい。
【００５４】
次に気化装置１００の動作を図５に基づき説明する。
【００５５】
先ず、気化装置１００の動作が開始されると、期間判定部Ｃ３は、供給期間であるか否かを判断する。本実施形態では、期間判定部Ｃ３は、バルブ切替信号を取得し、当該信号に基づいて供給期間が否かを判定する（ステップＳ１）。
【００５６】
そして、期間判定部Ｃ３が供給期間でないと判定した場合、言い換えれば、停止期間と判定した場合には、初期値設定部Ｃ１０は、濃度変化データ記憶部Ｃ５に当該停止期間の直前の供給期間における濃度変化データが記憶されている場合には、当該濃度変化データに基づいて新たな初期設定値を設定して初期値記憶部Ｃ１１に記憶する。そして、濃度制御部Ｃ４は、初期値記憶部Ｃ１１に記憶された最新の初期設定値を第１流量制御機器ＭＦＣ１の設定値及び第２流量制御機器ＭＦＣ２の設定値に設定する（ステップＳ２）。
【００５７】
一方、期間判定部Ｃ３が供給期間であると判定した場合には、濃度制御部Ｃ４は、制御状態が第２制御であるか否かを判断する（ステップＳ３）。そして、濃度制御部Ｃ４は、制御状態が第２制御でないと判断した場合に、第１流量制御機器ＭＦＣ１を流れる流量及び第２流量制御機器ＭＦＣ２を流れる流量が設定された初期設定値になるように制御する第１制御を行う（ステップＳ４）。
【００５８】
そして、濃度制御部Ｃ４によって第１制御が開始されると、濃度変化データ記憶部Ｃ５は、第１制御開始後の実濃度の経時変化を示す濃度変化データを逐次記憶する。また、閾値設定部Ｃ７は、濃度変化データ記憶部Ｃ５に随時記憶される濃度変化データに基づいて閾値を設定して閾値記憶部Ｃ８に記憶する。さらに、制御切替部Ｃ６は、濃度変化データ記憶部Ｃ５に逐次記憶される濃度変化データを参照し、第１制御開始後の経過時間に対する実濃度の変化率が閾値設定部Ｃ７で設定された閾値以下か否かを判断し（ステップＳ５）、続いて、当該経過時間が設定時間以上か否かを判断する（ステップＳ６）。
【００５９】
すなわち、本実施形態においては、供給期間毎に、閾値設定部Ｃ７が、その供給期間で得られる濃度変化データに基づき閾値を設定すると共に、制御切替部Ｃ６が、その供給期間で得られる濃度変化データと当該閾値とを用いて切替タイミングを判断するように構成されている。
【００６０】
そして、制御切替部Ｃ６は、実濃度の変化率が閾値以下になったと判断した場合、或いは、経過時間が設定時間以上になったと判断した場合に、濃度制御部Ｃ４へ制御状態切替信号を送信する。これにより、濃度制御部Ｃ４は、制御状態を第１制御から第２制御へ切り替えて当該第２制御を開始する（ステップＳ７）。
【００６１】
なお、濃度制御部C4は、ステップＳ３において制御状態が第２制御であると判断した場合に、そのまま第２制御を継続する（ステップＳ８）。
【００６２】
その後は、気化装置１００は、制御終了信号を受け付けたか否かを判断し（ステップＳ９）、制御終了信号を受け付けるまではＳ１〜Ｓ８を繰り返し、制御終了信号を受け付けた場合は動作を終了する。
【００６３】
このように構成された本実施形態に係る気化装置１００によれば、供給期間開始直後は、第１流量制御機器ＭＦＣ１に流れる流量及び第２流量制御機器ＭＦＣ２に流れる流量を初期設定値に維持する第１制御を行って実濃度を上昇させ、ある程度実濃度が上昇した後に第１流量制御機器ＭＦＣ１及び第２流量制御機器ＭＦＣ２を制御して実濃度が目標濃度に近づくようにフィードバック制御する第２制御に切り替えられるため、供給期間開始直後における材料ガスの濃度のオーバーシュートを抑制できる。
【００６４】
本実施形態の変形例について説明する。第１制御において第１流量制御機器ＭＦＣ１に設定される初期設定値Ｑｃについては、図３及び図４のグラフに示されるように第１制御終了時点において濃度モニタ４０で測定される実濃度が目標値とほぼ一致するように定められていたが、実濃度が目標値から許容量だけオーバーシュートするように設定されてもよい。すなわち、実濃度が目標値となるキャリアガスの設定流量Ｑｃに対してオーバーシュートゲインＧｏを乗じた値を初期設定値として第１流量制御機器ＭＦＣに設定されるように初期値設定部Ｃ１０を構成してもよい。ここで、オーバーシュートゲインＧｏは例えば１．１〜１．２等の値として設定される。このようにすれば、図６のグラフに示すようにオーバーシュート後に発生するアンダーシュートを抑制し、実濃度が目標値を一度上回った後はその値をほぼ下回らないようにできる。
【００６５】
＜その他の実施形態＞  前記実施形態に係る気化装置１００は、希釈式（流量式）のものであるが、圧力式のものであってもよい。具体的には、圧力式の気化装置１００は、図７に示すように、前記実施形態に係る希釈式の気化装置１００と比べて、希釈ガス供給路Ｌ３を具備しておらず、代わりに材料ガス導出路Ｌ２の濃度モニタ４０よりも下流側に圧力制御機器ＰＶを具備している。すなわち、本実施形態の流体制御機器は、流量制御機器ＭＦＣ１及び圧力制御機器ＰＶである。
【００６６】
前記圧力式の気化装置１００においては、初期値記憶部Ｃ１１に第１流量制御機器ＭＦＣ１を流れる流量及び圧力制御機器ＰＶの上流側の圧力の初期設定値を記憶し、濃度制御部Ｃ４が、供給期間において、圧力制御機器ＰＶの上流側の圧力（具体的には、圧力計４１の圧力）及び第１流量制御機器ＭＦＣ１を流れる流量が初期設定値になるように制御する第１制御を行った後、第１流量制御機器ＭＦＣ１又は圧力制御機器ＰＶの少なくとも一方を制御することによって実濃度が目標値に近づくようにフィードバック制御する第２制御を行うように構成すればよい。なお、圧力制御機器ＰＶは、具体的には圧力制御弁であり、濃度制御部Ｃ４は当該圧力制御弁の弁開度を制御するように構成すればよい。
【００６７】
なお、圧力式の気化装置１００においても、供給期間開始直後から実濃度が目標値に近づくようにフィードバック制御を行うと、気化タンクに流れ込むキャリアガスの流量に依存して生じる気化タンクの全圧変化の時間遅れ等が原因となり、供給期間開始直後に材料ガスの濃度が大きくオーバーシュートするという問題がある。しかし、本発明に係る圧力式の気化装置１００によれば、供給期間開始直後の材料ガスの濃度のオーバーシュートを抑制できる。
【００６８】
また、前記実施形態においては、第１制御開始後の経過時間に対する実濃度の変化率に基づいて、第１制御から第２制御への切替タイミングを判断しているが、当該実濃度の変化率の変化率（実濃度波形の二次微分）に基づいて、第１制御から第２制御への切替タイミングを判断するように構成してもよい。
【００６９】
また、第１制御開始直後、言い換えれば、供給期間開始直後は、経過時間に対する実濃度の変化が不安定になる。このため、制御切替部Ｃ６が、第１制御開始後に遅延時間を設け、当該遅延時間後の経過時間に対する実濃度の変化率が閾値以下か否かを判定するように構成すればよい。このようなものであれば、経過時間に対する実濃度の変化が不安定な期間に生じ易い誤判定の発生を抑制できる。
【００７０】
その他、本発明は前記各実施形態に限られず、その趣旨を逸脱しない範囲で種々の変形が可能であるのは言うまでもない。
【符号の説明】
【００７１】
１００  気化装置
１０  気化タンク
Ｌ１  キャリアガス供給路
Ｌ２  材料ガス導出路
Ｌ３  希釈ガス供給路
２０  切替機構
３０  濃度制御機構
ＭＦＣ１  第１流量制御機器
ＭＦＣ２  第２流量制御機器
Ｃ  制御部
Ｃ１  濃度算出部
Ｃ２  目標値記憶部
Ｃ３  期間判定部
Ｃ４  濃度制御部
Ｃ５  濃度変化データ記憶部
Ｃ６  制御切替部
Ｃ７  閾値設定部
Ｃ８  閾値記憶部
Ｃ９  設定時間記憶部
Ｃ１０  初期値設定部
Ｃ１１  初期値記憶部
４０  濃度モニタ
ＰＶ  圧力制御機器
【図１】
2020133001.tif 000003
【図２】
2020133001.tif 000004
【図３】
2020133001.tif 000005
【図４】
2020133001.tif 000006
【図５】
2020133001.tif 000007
【図６】
2020133001.tif 000008
【図７】
2020133001.tif 000009